(57)【要約】  本発明は、高密度光ディスクと、そのディスクの光ディスク装置による再生を制限する方法に係り、再生専用ブルーレイディスクＢＤ−ＲＯＭまたは１回記録可能なブルーレイディスクＢＤ−Ｒ等のような高密度光ディスクの特定領域にディスクの種類を識別することができる識別情報を物理的マークとして付加記録し、サーボ動作の初期にそれを検出確認すると共に、読み出したデータの固有フォーマットを確認して違法な複製であるか否かを判別し、その判別結果によってデータ再生動作を強制的に制限させることによって、再生専用ブルーレイディスクＢＤ−ＲＯＭのような高密度光ディスクに記録されたデータを再記録可能なブルーレイＢＤ−ＲＥまたは１回記録可能なブルーレイディスクＢＤ−Ｒなどに違法に複製して再生することを效率的に防止する。
2005531880.tif 000002
【特許請求の範囲】
【請求項１】
光ディスク装置に装着するための中央ホールとクランピング領域と、
ディスク管理情報とデータを記録するための情報領域とを含み、
前記情報領域に、リードイン領域、データ領域、リードアウト領域が割り当てられ、前記リードイン領域の前の特定領域、またはリードイン領域内の特定領域、またはリードアウト領域内の特定領域に物理的マーク情報が記録されていることを特徴とする高密度光ディスク。
【請求項２】
前記物理的マーク情報は、複写防止情報を示すウォーブル形状パターンのピットとして記録されていることを特徴とする請求項１記載の高密度光ディスク。
【請求項３】
前記物理的マーク情報は、モノトーン形態の高周波変調したバイフェーズグルーブを基準にして、任意のピット長さを有するマークとスペースの対として反復記録されていることを特徴とする請求項１記載の高密度光ディスク。
【請求項４】
前記マークとスペースは、前記モノトーン形態の高周波変調したバイフェーズグルーブの所定記録区間内で、直線状に記録されることを特徴とする請求項１記載の高密度光ディスク。
【請求項５】
前記マークとスペースは、前記所定記録区間毎に、データの値によって異なるピット長さで記録されることを特徴とする請求項４記載の高密度光ディスク。
【請求項６】
前記マークとスペースは、データの値が'１'である場合、３６Ｔ記録区間内で、それぞれ３Ｔ長さで反復記録されて、データの値が'０'である場合には、３６Ｔ記録区間内で、それぞれ９Ｔ長さで反復記録されることを特徴とする請求項４記載の高密度光ディスク。
【請求項７】
前記高密度光ディスクは、再生専用ブルーレイディスクＢＤ−ＲＯＭであるか、または再生専用ブルーレイディスクを製作するために事前承認された１回記録可能なブルーレイディスクＢＤ−Ｒであることを特徴とする請求項４記載の高密度光ディスク。
【請求項８】
前記物理的マーク情報は、光ディスク装置でのデコーディング動作とは別に、サーボ動作の初期に検出されることを特徴とする請求項１記載の高密度光ディスク。
【請求項９】
前記物理的マーク情報は、再生専用ブルーレイディスクＢＤ−ＲＯＭであることを示す固有の識別情報であることを特徴とする請求項１記載の高密度光ディスク。
【請求項１０】
前記リードイン領域の前の特定領域は、ディスク製作の後には再記録が不可能な領域であることを特徴とする請求項９記載の高密度光ディスク。
【請求項１１】
前記物理的マーク情報は、１回記録可能なブルーレイディスクＢＤ−Ｒであることを示す固有の識別情報として記録されていることを特徴とする請求項１記載の高密度光ディスク。
【請求項１２】
前記リードイン領域の前の特定領域は、ディスク製作の後に一度記録可能な領域であることを特徴とする請求項１１記載の高密度光ディスク。
【請求項１３】
装置内に挿着された光ディスクの特定領域に物理的マークとして付加記録されたディスク識別情報を検出確認する１段階と、
前記確認されたディスク識別情報と前記光ディスクから読み出すデータの固有のフォーマットとに基づいて、データ再生動作を選択的に制限する２段階と
を含むことを特徴とする光ディスク装置による光ディスクの再生制限方法。
【請求項１４】
前記１段階は、前記光ディスクに割り当てられたリードイン領域の前の特定領域に物理的マークとして付加記録されたディスク識別情報をサーボ動作の初期に検出確認することを特徴とする請求項１３記載の光ディスク装置による光ディスクの再生制限方法。
【請求項１５】
前記２段階は、前記確認されたディスク識別情報と、前記光ディスクから読み出したデータの固有フォーマットが共に再生専用ブルーレイディスクに該当する場合、正常な再生動作を行うことを特徴とする請求項１３記載の光ディスク装置による光ディスクの再生制限方法。
【請求項１６】
前記２段階は、前記確認されたディスク識別情報が再生専用ブルーレイディスクでなく、前記光ディスクから読み出したデータの固有フォーマットが再生専用ブルーレイディスクに該当する場合、違法複製と判別して再生動作を中止することを特徴とする請求項１３記載の光ディスク装置による光ディスクの再生制限方法。
【発明の詳細な説明】
【技術分野】
【０００１】
本発明は、再生専用ブルーレイディスクＢＤ−ＲＯＭのような高密度光ディスクに記録されたデータの違法な複製を防止するための高密度光ディスクと、違法に複製された光ディスクの再生を制限する方法に関する。
【背景技術】
【０００２】
最近、高画質のビデオデータと高音質のオーディオデータを記録することができる新しい高密度再記録可能光ディスク、例えば'Ｂｌｕ−ｒａｙ  Ｄｉｓｃ  Ｒｅｗｒｉｔａｂｌｅ'（以下、'ＢＤ−ＲＥ'と称する。）に対する規格化作業が急速に進展しており、関連製品が開発され、市場に発表されて商用化されることが期待されている。
【０００３】
一般的なＢＤ−ＲＥのディスク構造は、図１に示したように、光ディスク装置に装着するための中央ホールとクランピング領域を含んでおり、またディスク管理情報及びデータを記録するための情報領域が含まれている。
【０００４】
情報領域には、リードイン領域、データ領域、リードアウト領域が区分して割り当てられていると共に、リードイン領域の前の特定領域に、ＢＣＡ（Ｂｕｒｓｔ  Ｃｕｔｔｉｎｇ  Ａｒｅａ）領域が割り当てられている。このＢＣＡ領域は、ディスクを製作した後に再記録が不可能な領域であって、そのＢＣＡ領域にはＢＤ−ＲＥに固有のフォーマットで変調した情報が記録される。
【０００５】
光ディスク装置、例えば図２に示したように、光ピックアップ１０、ＶＤＲ（Ｖｉｄｅｏ  Ｄｉｓｃ  Ｒｅｃｏｒｄｅｒ）システム１１、エンコーダー１２などを含むＢＤ−ＲＥレコーダ等のような光ディスク装置は、外部入力データをＢＤ−ＲＥに固有のフォーマットでエンコーディングし、かつ変調して、情報領域内に割り当てられたデータ領域に記録する一連のデータ記録動作を遂行すると共に、データ領域に記録されたデータストリームを読み出して、元のビデオ及びオーディオデータへ再生処理する一連のデータ再生動作を遂行する。
【０００６】
したがって、前記のような光ディスク装置を持つユーザーは、自身が希望する映画または放送プログラムのＡ／Ｖデータを、ＢＤ−ＲＥ  １００に記録して、その映画または放送プログラムのＡ／Ｖデータを、高画質のビデオ及び高音質のオーディオとして再生して視聴することができる。
【０００７】
最近、再生専用ブルーレイディスクＢＤ−ＲＯＭと１回記録可能なブルーレイディスクＢＤ−Ｒに対する開発及び規格化作業が関連企業等間に論議されている。しかし、ＢＤ−ＲＯＭに記録されたデータストリームをＢＤ−ＲＥまたはＢＤ−Ｒなどに無断で違法に複製して記録及び再生する場合、これを防止することができる効率的な解決策がまだ用意されておらず、その解決策が至急に要求されているのが実情である。
【発明の開示】
【発明が解決しようとする課題】
【０００８】
したがって、本発明は前記のような実情を勘案して創作されたものであって、再生専用ブルーレイディスクＢＤ−ＲＯＭのような高密度光ディスクに記録されたデータストリームを、再記録可能なブルーレイＢＤ−ＲＥまたは１回記録可能なブルーレイディスクＢＤ−Ｒなどに違法に複製して再生することを防止することができる高密度光ディスクを提供すると共に、違法に複製されたディスクを光ディスク装置で再生するのを制限する方法を提供することが目的である。
【課題を解決するための手段】
【０００９】
前記のような目的を達成する、本発明による高密度光ディスクは、光ディスク装置に装着するための中央ホールと、クランピング領域とを有し、かつディスク管理情報とデータを記録するための情報領域を含み、前記情報領域には、リードイン領域、データ領域、リードアウト領域が区分して割り当てられると共に、前記リードイン領域の前の特定領域、またはリードイン領域内の特定領域、またはリードアウト領域内の特定領域に物理的マーク情報が記録されていることを特徴としている。
【００１０】
また、本発明による光ディスク装置での光ディスクの再生制限方法は、装置内に装着された光ディスクの特定領域に、物理的マークとして付加記録されたディスク識別情報を検出確認する段階と、その確認されたディスク識別情報と前記光ディスクから読み出したデータの固有フォーマットとに基づいて、データ再生動作を選択的に制限する段階とを含むことを特徴とする。
【発明を実施するための最良の形態】
【００１１】
以下、本発明による高密度光ディスクと、本発明による高密度光ディスクの再生を制限する方法に対する望ましい実施形態を添付した図面を参照しながら詳細に説明する。
【００１２】
図３は本発明による再生専用ブルーレイディスクＢＤ−ＲＯＭのディスク構造を示したものである。本ＢＤ−ＲＯＭは、光ディスク装置に装着するための中央ホールとクランピング領域を含み、さらに、ディスク管理情報やデータを記録するための情報領域を含んでいる。
【００１３】
情報領域には、リードイン領域（ＬＩ）、データ領域、リードアウト（ＬＯ）領域が割り当てられており、リードイン領域の前の特定領域に、図１を参照して前述したようにＢＤ−ＲＥのＢＣＡ領域に対応するディスク識別領域、例えば、'ＲＯＭＩＤ（ＢＤ−ＲＯＭＩＤｅｎｔｉｆｉｃａｔｉｏｎ）'領域が割り当てられている。このディスク識別域は、リードイン領域内の特定領域、またはリードアウト領域内の特定領域などに割り当てられることもある。
【００１４】
このＲＯＭＩＤ領域は、ディスク製作の後では再記録が不可能な領域であって、ＢＤ−ＲＯＭディスクであることを示すための識別情報が記録される。その識別情報は、ＢＤ−ＲＯＭに固有フォーマットに変調された物理的マーク（Ｐｈｙｓｉｃａｌ  ＢＤ−ＲＯＭ  ＩＤ  Ｍａｒｋ）として記録される。
【００１５】
物理的マーク情報は、図４に示したように、ウォーブル形状を有するピットで記録される。その物理的マーク情報は、光ディスク装置でのデータ再生のためのデコーディング動作とは独立に、サーボ動作の初期に検出される。物理的マーク情報のウォーブル形状パターンは、データ領域に記録されるデータを暗号化する時に使用される暗号化キー値、すなわち複写防止情報とすることができる。
【００１６】
情報領域内に割り当てられたデータ領域には、ＢＤ−ＲＯＭに固有のフォーマットでエンコーディング及び変調したデータが、ディスク製作時にマスタリング過程等を介して記録される。
【００１７】
図５は、本発明による１回記録可能なブルーレイディスクＢＤ−Ｒのディスク構造を示したものである。本ＢＤ−Ｒは、前述したように、光ディスク装置に装着するための中央ホールとクランピング領域を含み、またディスク管理情報及びデータを記録するための情報領域を含む。
【００１８】
情報領域には、リードイン領域、データ領域、リードアウト領域が割り当てられると共に、リードイン領域の前の特定領域に、図１を参照して前述したようにＢＣＡ領域に対応するディスク識別領域、例えば、'ＲＩＤ（ＢＤ−Ｒ  Ｉｄｅｎｔｉｆｉｃａｔｉｏｎ）'領域が割り当てられている。
【００１９】
ＲＩＤ領域は、ディスク製作の後でも再記録が可能な領域である。そのＲＩＤ領域には、当該光ディスクがＢＤ−Ｒディスクであることを示すための識別情報が記録される。その識別情報は、ＢＤ−Ｒに固有フォーマットで変調した物理的マーク（Ｐｈｙｓｉｃａｌ  ＢＤ−Ｒ  ＩＤ  Ｍａｒｋ）として記録される。
【００２０】
ＲＩＤ領域に記録される物理的マーク情報は、図４を参照して前述したようにウォーブル形状を有するピットとして記録され、その物理的マーク情報は、光ディスク装置でのデータ再生のためのデコーディング動作とは独立であって、サーボ動作の初期に検出される。
【００２１】
また、物理的マーク情報は、ウォーブル形状以外のその他の形状を有するピットで記録されてもよい。他の形状の物理的マーク情報を利用して、データ領域にデータを暗号化して記録して、そのデータ領域から読み出した暗号化されたデータを解読することもできる。以下、これを詳細に説明する。
【００２２】
再生専用ブルーレイディスクＢＤ−ＲＯＭ、または再生専用ブルーレイディスクの製作のために事前承認された１回記録が可能なブルーレイディスクＢＤ−Ｒの特定記録領域、例えばリードイン領域またはリードインの前の特定領域（ＲＯＭＩＤまたはＲＩＤ領域）などに記録される物理的マーク情報を、モノトーン形態の高周波変調したバイフェーズグルーブ（Ｂｉ−ｐｈａｓｅ  ｍｏｄｕｌａｔｅｄ  ＨＦＭ  ｇｒｏｏｖｅ）を基準にして、任意のピット長さを有するマークとスペースの対として反復記録する。
【００２３】
例えば、図６に示したように、物理的マーク情報は、物理的マーク情報のデータシーケンス値にかかわらず常に３６Ｔの長さの記録区間が全体としてハイレベルまたはローレベルを持つモノトーン形態の高周波変調したバイフェーズグルーブを基準にして、記録される。３６Ｔ長さの記録区間内に、データの値が'１'である場合、３Ｔ長さのマーク（３Ｔｍ）とスペース（３Ｔｓ）を対として６回、直線状に反復して記録させ、データの値が'０'である場合、９Ｔ長さのマーク（９Ｔｍ）とスペース（９Ｔｓ）を対として２回直線上にそれぞれ反復して記録させる。
【００２４】
一方、データの値が'０'である場合、３６Ｔ記録区間内に１２Ｔの長さのマーク（１２Ｔｍ）、スペース（１２Ｔｓ）、マーク（１２Ｔｍ）と順に記録することもできる。しかし、このように１２Ｔ長さのマークまたはスペースを記録すると、ＲＦ信号とプッシュプル信号の周波数が相対的にかなり低くなるため、トラッキングサーボ動作にエラーが発生する可能性が高くなる。したがって、本発明の実施形態のように、ＲＦ信号とプッシュプル信号の周波数を適正周波数に維持することができる９Ｔ長さのマーク（９Ｔｍ）とスペース（９Ｔｓ）を対として反復記録することが望ましい。
【００２５】
また、図４を参照して前述したように物理的マーク情報をウォーブル形態で記録する場合、そのウォーブル形態のピットは、再生専用ブルーレイディスクＢＤ−ＲＯＭを製作するためのマスタリング装備で製作可能である。しかし、一般的なディスクドライバー、例えばＢＤ−Ｒドライバーではアクチュエータの駆動周波数範囲を外れるため、ウォーブル形態のピット記録が不可能になる。結局１回記録可能なブルーレイディスクドライバーを利用して多量の再生専用ブルーレイディスクＢＤ−ＲＯＭを製作することが不可能になる。
【００２６】
すなわち、再生専用ブルーレイディスクＢＤ−ＲＯＭの製作のために事前承認された１回記録可能なブルーレイディスク（ＢＤ−Ｒ  ｆｏｒ  ａｕｔｈｏｒｉｎｇ）の場合には、図７に示したように、モノトーン形態の高周波変調したバイフェーズグルーブを基準にして所定ピット長さを有するマークとスペースの対を直線状に反復記録する記録方式を適用して、物理的マーク情報はもちろんリードイン領域に含まれるＰＩＣ領域内に永久的に記録保存されなければならないディスク主要管理情報（ＤＩ：Ｄｉｓｃ  Ｉｎｆｏｒｍａｔｉｏｎ）などを記録する。一方、記録可能なデータ領域には通常のウォーブル形態のグルーブを基準にして記録される。
【００２７】
一方、再生専用ブルーレイディスクＢＤ−ＲＯＭの場合、ＰＩＣ領域にはウォーブル形態のピットまたはノーマルピットが記録され、データ記録領域には一般のピット列のデータが記録されるので、光ディスク装置は、ＢＤ−ＲＥまたは一般ＢＤ−ＲのＰＩＣ領域に異なる形態で記録されたピット列のデータを参照することによって、光ディスクの種類をより容易に判別することができる。
【００２８】
これにより、前記のような物理的マーク情報が記録されたＢＤ−ＲＯＭまたはＢＤ−Ｒを再生する光ディスク装置、例えば、図８に示したように、光ピックアップ２０、ＶＤＰ（Ｖｉｄｅｏ  Ｄｉｓｃ  Ｐｌａｙ）システム２１、そしてＤ／Ａ変換器２２などからなるＢＤ−ＲＯＭプレーヤー等のような光ディスク装置は、その装置内に光ディスクが装着されると、通常のサーボ動作の初期に、物理的マーク情報を検出確認して、データの再生動作時に、データ領域から読み出すデータの固有フォーマットを検出確認して、違法複製であるか否かを判別した後、その判別結果によって再生を強制的に中止する再生制限動作を実行する。以下これに対して詳細に説明する。
【００２９】
図９Ａ、図９Ｂは、本発明による光ディスク装置による再生制限方法に対する動作フローチャートを示したものである。
【００３０】
図８を参照して説明した光ディスク装置のＶＤＰシステム２１は、任意の一つの光ディスクが装置に装着されると、まず、通常のフォーカシングサーボ動作とトラッキングサーボ動作を行う（Ｓ１０）。
【００３１】
このようなサーボ動作の初期時に、光ディスクのリードイン領域の前に割り当てられたディスク識別領域をアクセスして、そのディスク識別領域に記録された物理的マーク情報を検出確認する。例えば物理的マーク情報がＢＤ−ＲＯＭＩＤ情報に該当する場合（Ｓ１１）、ＶＤＰシステムでは、光ディスクがＢＤ−ＲＯＭであると判別する。
【００３２】
すると、ＶＤＰシステムは、情報領域内に割り当てられたデータ領域をサーチした後、そのデータ領域に記録されたデータを読み出して再生する一連のデータ再生動作を行う（Ｓ１２）。この時、読み出すデータがＢＤ−ＲＯＭに固有フォーマットを有するデータ、すなわちＢＤ−ＲＯＭフォーマットのデータであれば（Ｓ１３）、正常なＢＤ−ＲＯＭと判別して再生動作を続けて行う（Ｓ１４）。
【００３３】
これに対して、データがＢＤ−ＲＯＭに固有のフォーマットのデータでない場合には、ディスク種類の判別にエラーがあると認識して、再生動作を中止するか、またはディスクの判別動作を再び行う（Ｓ１５）。
【００３４】
ＶＤＰシステムは、ディスク識別領域に記録された物理的マーク情報がＢＤ−ＲＯＭＩＤ情報に該当しない場合、例えばＢＤ−ＲＥに固有のフォーマットで記録された情報が検出された場合（Ｓ２０）、ＶＤＰシステムは光ディスクがＢＤ−ＲＥであると判別する。
【００３５】
そして、情報領域内に割り当てられたデータ領域をサーチして、そのデータ領域に記録されたデータを読み出して再生する一連のデータ再生動作を行う（Ｓ２１）。この時読み出すデータが、ＢＤ−ＲＥに固有のフォーマットを有するデータ、すなわちＢＤ−ＲＥフォーマットデータである場合（Ｓ２２）、正常なＢＤ−ＲＥと判別して再生動作を続ける（Ｓ２３）。
【００３６】
前記データが、ＢＤ−ＲＥに固有フォーマットのデータでない場合、例えばＢＤ−ＲＯＭフォーマットデータである場合には、そのＢＤ−ＲＯＭのデータはＢＤ−ＲＥに違法に複製されたものであると判別して、それを知らせる案内メッセージを表示するとともに、再生動作を強制的に中止する一連の再生制限動作を行う（Ｓ２４）。
【００３７】
ＶＤＰシステムは、ディスク識別領域に記録された物理的マーク情報からＢＤ−ＲＩＤ情報を検出すると（Ｓ３０）、光ディスクはＢＤ−Ｒであると判別し、情報領域内に割り当てられたデータ領域をサーチした後、そのデータ領域に記録されたデータを読み出して再生する一連のデータ再生動作を行う（Ｓ３１）。
【００３８】
又、読み出したデータが、ＢＤ−ＲＯＭに固有のフォーマットを有するデータ、すなわちＢＤ−ＲＯＭフォーマットデータである場合（Ｓ３２）、ＢＤ−ＲＯＭデータがＢＤ−Ｒに違法に複製されたと判別して、それを知らせる案内メッセージを表示して、再生動作を強制的に中止する一連の再生制限動作を行う（Ｓ３３）。
【００３９】
そして、読み出したデータが、ＢＤ−ＲＯＭに固有のフォーマットを有するデータではない場合、例えばＢＤ−ＲＥフォーマットのデータであるか、またはＢＤ−Ｒフォーマットのデータである場合には、正常なＢＤ−Ｒと判別して再生動作を続ける（Ｓ３４）。
【００４０】
参考までに、ＢＤ−Ｒディスクのデータ領域に、ＢＤ−ＲＯＭフォーマットのデータが記録されているが、複製許可を示す別の著作権許与情報を付加して記録されている場合、その著作権の情報に基づいてデータの複製が事前に許可されていれば、正常なデータ再生動作を行うようにすることができる。
【００４１】
詳述した本発明による高密度光ディスクと、光ディスク装置による再生制限方法は、再生専用ブルーレイディスクＢＤ−ＲＯＭのような高密度光ディスクに記録されたデータを再記録可能なブルーレイＢＤ−ＲＥまたは１回記録可能なブルーレイディスクＢＤ−Ｒなどに違法に複製して再生することを效率的に防止することができる。
【００４２】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能である。
【図面の簡単な説明】
【００４３】
【図１】一般的な再記録可能ブルーレイディスク（ＢＤ−ＲＥ）に対するディスク構造を示したものである。
【図２】一般的なＢＤ−ＲＥレコーダに対する構成を概略的に示したのである。
【図３】本発明による再生専用ブルーレイディスクＢＤ−ＲＯＭに対するディスク構造を示したものである。
【図４】本発明による物理的ディスク識別情報がウォーブル形状のピットで記録された状態を示したものである。
【図５】本発明による１回記録可能なブルーレイディスクＢＤ−Ｒに対するディスク構造を示したものである。
【図６】本発明による物理的ディスク識別情報が一直線のピット列で記録された状態を示したものである。
【図７】本発明が適用される再生専用ブルーレイディスクＢＤ−ＲＯＭと１回記録可能なブルーレイディスクＢＤ−Ｒを再記録可能ブルーレイディスク（ＢＤ−ＲＥ）などと比較図示したのである。
【図８】本発明による再生制限方法に適用される光ディスク装置に対する構成を概略的に示したのである。
【図９Ａ】本発明による光ディスク装置による再生制限方法に対する動作フローチャートを示したものである。
【図９Ｂ】本発明による光ディスク装置による再生制限方法に対する動作フローチャートを示したものである。
【図１】
2005531880.tif 000003
【図２】
2005531880.tif 000004
【図３】
2005531880.tif 000005
【図４】
2005531880.tif 000006
【図５】
2005531880.tif 000007
【図６】
2005531880.tif 000008
【図７】
2005531880.tif 000009
【図８】
2005531880.tif 000010
【図９Ａ】
2005531880.tif 000011
【図９Ｂ】
2005531880.tif 000012
【国際調査報告】
2005531880.tif 000013